(57)【要約】【課題】  適切な医療機関を検索できる医療機関検索システムを提供する。【解決手段】  利用者の健康に関わる定量的な値や定性的な値を日時と共に健康履歴として保存し、健康履歴をもとに利用者の疾患や症状を推定し、利用者の検索要求と推定された疾患や症状に合致する医療機関を検索する。利用者が医療機関を受診した際の診断病名や所見や治療行為や検査結果や医用画像等を診療履歴として保存し、利用者の診療履歴をもとに、利用者の疾患や症状を推定し、利用者の検索要求と推定された疾患や症状に合致する医療機関を検索する。複数の利用者の診療履歴をもとに医療機関の治療経験を推定し、利用者の要求及び疾患及び症状等に合致すると共に、疾患及び症状の治療経験が優れた医療機関を検索する。【選択図】  図１
2005196510.tif 000002
【特許請求の範囲】
【請求項１】
利用者が利用する利用者端末と、医療機関検索サーバとがネットワークを介して接続された医療機関検索システムにおいて、前記医療機関検索サーバが、前記ネットワークに接続して情報の授受を行う通信装置と、データ制御装置と、前記医療機関検索サーバの内部または外部にあってアクセス可能な、前記利用者の健康に関わる定量的な値や定性的な値を日時と共に健康履歴として保存する健康履歴保存装置と、前記医療機関の施設情報を保存する施設情報保存装置とを有し、前記データ制御装置が、前記利用者からの医療機関検索要求を受け付ける検索要求受付手段と、前記検索要求の内容と前記健康履歴保存装置に保存された前記利用者の前記健康履歴とをもとに、前記利用者の疾患や症状を推定し、前記利用者の要求及び疾患及び症状に合致する医療機関を抽出する医療機関検索手段と、抽出した前記医療機関の施設情報の一部又は全部を前記利用者に提示する検索結果提示手段とを有することを特徴とする医療機関検索システム。
【請求項２】
利用者が利用する利用者端末と、医療機関検索サーバとがネットワークを介して接続された医療機関検索システムにおいて、前記医療機関検索サーバが、前記ネットワークに接続して情報の授受を行う通信装置と、データ制御装置と、前記医療機関検索サーバの内部または外部にあってアクセス可能な、前記利用者が医療機関を受診した際の診断病名や所見や治療行為や検査結果や医用画像等を診療履歴として保存する診療履歴保存装置と、前記医療機関の施設情報を保存する施設情報保存装置とを有し、前記データ制御装置が、前記利用者からの医療機関検索要求を受け付ける検索要求受付手段と、前記検索要求の内容と前記診療履歴保存装置に保存された前記利用者の前記診療履歴とをもとに、前記利用者の疾患や症状を推定し、前記利用者の要求及び疾患及び症状等に合致する医療機関を抽出する医療機関検索手段と、抽出した前記医療機関の施設情報の一部又は全部を前記利用者に提示する検索結果提示手段とを有することを特徴とする医療機関検索システム。
【請求項３】
利用者が利用する利用者端末と、医療機関検索サーバとがネットワークを介して接続された医療機関検索システムにおいて、前記医療機関検索サーバが、前記ネットワークに接続して情報の授受を行う通信装置と、データ制御装置と、前記医療機関検索サーバの内部または外部にあってアクセス可能な、前記利用者が医療機関を受診した際の診断病名や所見や治療行為や検査結果や医用画像等を診療履歴として保存する診療履歴保存装置と、前記医療機関の施設情報を保存する施設情報保存装置とを有し、前記データ制御装置が、前記利用者からの医療機関検索要求を受け付ける検索要求受付手段と、前記検索要求の内容と前記診療履歴保存装置に保存された複数の前記利用者の前記診療履歴とをもとに、医療機関の治療経験を推定し、前記利用者の要求及び疾患及び症状等に合致すると共に、前記疾患及び症状の治療経験が優れた医療機関を抽出する医療機関検索手段と、抽出した前記医療機関の施設情報の一部又は全部を前記利用者に提示する検索結果提示手段とを有することを特徴とする医療機関検索システム。
【請求項４】
請求項２又は請求項３に記載した医療機関検索システムにおいて、前記利用者の要求及び前記診療履歴保存装置に保存された前記利用者の前記診療履歴と、前記診療履歴保存装置に保存された複数の利用者の前記診療履歴とをもとに、前記利用者の診療履歴及び現在の状態と類似度が高い診療履歴を持つ他の利用者の治療経験がある医療機関を抽出する医療機関検索手段を有することを特徴とする医療機関検索システム。
【請求項５】
請求項１から請求項４の何れかに記載した医療機関検索システムにおいて、前記医療機関検索手段が抽出した医療機関に対して、前記利用者の検索要求または前記推定された疾患または症状が前記医療機関の前記施設情報と合致する度合いや、前記利用者の検索要求または前記推定された疾患または症状に関する前記医療機関の治療経験や、前記利用者の診療履歴及び現在の状態と類似度が高い診療履歴を持つ他の利用者の治療経験や、前記合致する度合いや前記治療経験の組合せに関して、合致度が高いほど、あるいは治療経験が多いほど高くなるような点数を付与し、前記抽出した医療機関の施設情報の一部又は全部を、前記点数の高い順に前記利用者に提示する検索結果提示手段を有することを特徴とする医療機関検索システム。
【請求項６】
利用者が利用する利用者端末と、医療機関検索サーバとがネットワークを介して接続された医療機関検索システムにおいて、前記医療機関検索サーバが、前記ネットワークに接続して情報の授受を行う通信装置と、データ制御装置と、前記医療機関検索サーバの内部または外部にあってアクセス可能な、前記利用者が医療機関を検索した際の検索条件や検索結果や受診の有無等を利用履歴として保存する利用履歴保存装置と、前記医療機関の施設情報を保存する施設情報保存装置とを有し、前記データ制御装置が、前記利用者からの医療機関検索要求を受け付ける検索要求受付手段と、前記検索要求に合致する医療機関を抽出する医療機関検索手段と、抽出した前記医療機関に対して、前記利用履歴保存装置に保存された前記利用者の利用履歴をもとに、前記利用者が受診した履歴が多いほど高く、また検索結果として抽出されたにもかかわらず前記利用者が受診しなかった履歴が多いほど低くなるような点数を付与し、抽出した前記医療機関の施設情報の一部又は全部を、前記点数の高い順に前記利用者に提示する検索結果提示手段とを有することを特徴とする医療機関検索システム。
【発明の詳細な説明】
【技術分野】
【０００１】
本発明は、検索者に医療機関の情報を提示する医療機関検索システムに関する。
【背景技術】
【０００２】
人が医療機関を受診する場合、救急車を呼ぶような緊急時を除き、受診する医療機関を検索する必要がある。かかりつけの医療機関を決めていたとしても、転居や出産や重病や休診等の理由で従来のかかりつけ医療機関では対応が困難な場合には、新たに適切な医療機関を検索する必要がある。一般に、医療機関を検索する場合には、従来から電話帳を利用する方法があったが、電話帳に記載されている医療機関の情報では情報量が不十分で、患者の症状や体質等に応じて適切な医療機関を検索することは困難であった。
【０００３】
このような問題を解決する手段として、特許文献１（特開２００２−２５１４５７号公報）に、医療サポート方法と、医療サポート装置と、医療サポート処理用プログラム及びそのプログラムの記録媒体が開示されている。特許文献１に開示された方法及び装置等は、利用者を問診することで得た患者の症状の情報等に合致する医療機関を抽出して利用者に提示することにより、ある程度利用者の症状に適した医療機関を検索することが可能である。
【０００４】
【特許文献１】特開２００２−２５１４５７号公報
【発明の開示】
【発明が解決しようとする課題】
【０００５】
しかし、前記の例を含む従来技術では、利用者が自覚していない症候等がある場合や、利用者の体質や過去に罹患した疾患等に応じて適切な医療機関が異なる場合等は、特許文献１に開示された方法及び装置等では、適切な医療機関を検索することは必ずしもできなかった。また、前記の例を含む従来技術では、検索に利用する医療機関の情報は診療科や設備等の限られたものであり、必ずしも利用者の症候や疾患に適した医療機関が検索できるとは限られなかった。従って、利用者が自覚していない症候や、利用者の体質や、利用者が過去に罹患した疾患等の情報も含めた様々な利用者や医療機関の情報に基づき、利用者に適切な医療機関を検索する手段が望まれていた。
本発明の目的は、利用者が適切な医療機関を検索できる医療機関検索システムを提供することにある。
【課題を解決するための手段】
【０００６】
上記課題を解決するために、本発明の医療機関検索システムでは、利用者が利用する利用者端末と、医療機関検索サーバとがネットワークを介して接続された医療機関検索システムにおいて、上記医療機関検索サーバが、上記ネットワークに接続して情報の授受を行う通信装置と、データ制御装置と、上記医療機関検索サーバの内部または外部にあってアクセス可能な、上記利用者の健康に関わる定量的な値や定性的な値を日時と共に健康履歴として保存する健康履歴保存装置と、上記医療機関の施設情報を保存する施設情報保存装置とを有し、上記データ制御装置が、利用者からの医療機関検索要求を受け付ける検索要求受付手段と、上記検索要求の内容と上記健康履歴保存装置に保存された上記利用者の上記健康履歴とをもとに、利用者の疾患や症状を推定し、上記利用者の要求及び疾患及び症状に合致する医療機関を抽出する医療機関検索手段と、抽出した上記医療機関の施設情報の一部又は全部を上記利用者に提示する検索結果提示手段とを有することを特徴とする。
【０００７】
また、利用者が利用する利用者端末と、医療機関検索サーバとがネットワークを介して接続された医療機関検索システムにおいて、上記医療機関検索サーバが、上記ネットワークに接続して情報の授受を行う通信装置と、データ制御装置と、上記医療機関検索サーバの内部または外部にあってアクセス可能な、上記利用者が医療機関を受診した際の診断病名や所見や治療行為や検査結果や医用画像等を診療履歴として保存する診療履歴保存装置と、上記医療機関の施設情報を保存する施設情報保存装置とを有し、上記データ制御装置が、利用者からの医療機関検索要求を受け付ける検索要求受付手段と、上記検索要求の内容と上記診療履歴保存装置に保存された上記利用者の上記診療履歴とをもとに、利用者の疾患や症状を推定し、上記利用者の要求及び疾患及び症状等に合致する医療機関を抽出する医療機関検索手段と、抽出した上記医療機関の施設情報の一部又は全部を上記利用者に提示する検索結果提示手段とを有することを特徴とする。
【０００８】
更に、利用者が利用する利用者端末と、医療機関検索サーバとがネットワークを介して接続された医療機関検索システムにおいて、上記医療機関検索サーバが、上記ネットワークに接続して情報の授受を行う通信装置と、データ制御装置と、上記医療機関検索サーバの内部または外部にあってアクセス可能な、上記利用者が医療機関を受診した際の診断病名や所見や治療行為や検査結果や医用画像等を診療履歴として保存する診療履歴保存装置と、上記医療機関の施設情報を保存する施設情報保存装置とを有し、上記データ制御装置が、利用者からの医療機関検索要求を受け付ける検索要求受付手段と、上記検索要求の内容と上記診療履歴保存装置に保存された複数の利用者の上記診療履歴とをもとに、医療機関の治療経験を推定し、上記利用者の要求及び疾患及び症状等に合致すると共に、上記疾患及び症状の治療経験が優れた医療機関を抽出する医療機関検索手段と、抽出した上記医療機関の施設情報の一部又は全部を上記利用者に提示する検索結果提示手段とを有することを特徴とする。
【０００９】
また、上記利用者の要求及び上記診療履歴保存装置に保存された上記利用者の上記診療履歴と、上記診療履歴保存装置に保存された複数の利用者の上記診療履歴とをもとに、上記利用者の診療履歴及び現在の状態と類似度が高い診療履歴を持つ他の利用者の治療経験がある医療機関を抽出する医療機関検索手段を有することを特徴とする。
【００１０】
更に、上記医療機関検索手段が抽出した医療機関に対して、上記利用者の検索要求または上記推定された疾患または症状が上記医療機関の上記施設情報と合致する度合いや、上記利用者の検索要求または上記推定された疾患または症状に関する上記医療機関の治療経験や、上記利用者の診療履歴及び現在の状態と類似度が高い診療履歴を持つ他の利用者の治療経験や、上記合致する度合いや上記治療経験の組合せに関して、合致度が高いほど、あるいは治療経験が多いほど高くなるような点数を付与し、抽出した上記医療機関の施設情報の一部又は全部を、上記点数の高い順に上記利用者に提示する検索結果提示手段を有することを特徴とする。
【００１１】
また、利用者が利用する利用者端末と、医療機関検索サーバとがネットワークを介して接続された医療機関検索システムにおいて、上記医療機関検索サーバが、上記ネットワークに接続して情報の授受を行う通信装置と、データ制御装置と、上記医療機関検索サーバの内部または外部にあってアクセス可能な、上記利用者が医療機関を検索した際の検索条件や検索結果や受診の有無等を利用履歴として保存する利用履歴保存装置と、上記医療機関の施設情報を保存する施設情報保存装置とを有し、上記データ制御装置が、利用者からの医療機関検索要求を受け付ける検索要求受付手段と、上記検索要求に合致する医療機関を抽出する医療機関検索手段と、抽出した上記医療機関に対して、上記利用履歴保存装置に保存された上記利用者の利用履歴をもとに、上記利用者が受診した履歴が多いほど高く、また検索結果として抽出されたにもかかわらず上記利用者が受診しなかった履歴が多いほど低くなるような点数を付与し、抽出した上記医療機関の施設情報の一部又は全部を、上記点数の高い順に上記利用者に提示する検索結果提示手段とを有することを特徴とする。
【発明の効果】
【００１２】
本発明では、利用者が自覚していない症候や、利用者の体質や、利用者が過去に罹患した疾患等の情報も含めた様々な利用者の情報に基づき、利用者が適切な医療機関を検索できる医療機関検索システムを提供できる。
【００１３】
本発明の医療機関検索支援システムは、利用者が入力した検索要求の内容で検索するだけでなく、利用者の日々の健康履歴に基づいて利用者の疾患名や症状や望ましい診療科を推定した上で医療機関の検索を行うため、利用者が重篤な疾患や症状を自覚していない場合でも適切な医療機関を利用者に提示できる利点がある。
【００１４】
また、本発明の医療機関検索支援システムは、利用者が入力した検索要求の内容で検索するだけでなく、利用者の過去の健康履歴に基づいて利用者の疾患名や症状や望ましい診療科を推定した上で医療機関の検索を行うため、利用者が自分の体質や重要な慢性疾患を自覚していない場合でも適切な医療機関を利用者に提示できる利点がある。
【００１５】
更に、本発明の医療機関検索支援システムは、利用者が入力した検索要求の内容で検索するだけでなく、医療機関の治療経験にも基づいて医療機関の検索を行うため、利用者の疾患や症状に関する治療経験や治療成績の優れた医療機関を利用者に提示できる利点がある。
【００１６】
また、本発明の医療機関検索支援システムは、利用者の診療履歴に現在の症状を加えた情報と類似度が高い他の利用者の治療経験にも基づいて医療機関の検索を行うため、利用者の体質や診療履歴や症状を持つ場合に受診するのに最も適した医療機関を利用者に提示できる利点がある。
【発明を実施するための最良の形態】
【００１７】
以下、本発明を実施するための最良の形態を、図面を参照して説明する。
図１は、本発明の実施例の医療機関検索システム（以下「本システム」と記述する）の構成の一例を示すブロック図を示す。
本実施例における医療機関検索システムは、一人以上の利用者１００がそれぞれ利用する利用者端末１０と、複数の医療機関２００がそれぞれ利用する医療機関端末２０と、医療機関検索サーバ３００と、これらを相互に接続するネットワーク４とで構成する。
【００１８】
利用者端末１０と医療機関端末２０は、パーソナルコンピュータや携帯型情報通信端末や携帯電話端末やコンビニエンスストア設置型情報通信端末等の、ネットワーク４に接続して情報の入出力が可能な情報処理装置である。
【００１９】
また、医療機関検索サーバ３００は、パーソナルコンピュータやワークステーションや汎用コンピュータ等の情報処理装置で、利用者の健康に関わる定量的な値や定性的な値を日時と共に健康履歴として保存する健康履歴保存装置３３と、利用者が医療機関を受診した際の診断病名や所見や治療行為や検査結果や医用画像等を診療履歴として保存する診療履歴保存装置３４と、利用者が医療機関を検索した際の検索条件や検索結果や受診の有無等を利用履歴として保存する利用履歴保存装置３５と、医療機関の施設情報を保存する施設情報保存装置３６との、いずれかあるいは組み合わせを備える。更に、医療機関検索サーバ３００は、ネットワーク４に接続して情報の授受を行う通信装置３１と、データ制御装置３２とを備える。
【００２０】
データ制御装置３２は、利用者１００からの医療機関検索要求を受け付ける検索要求受付手段３２１と、検索要求の内容と健康履歴保存装置３３及び診療履歴保存装置３４及び施設情報保存装置３５に保存された情報をもとに、利用者１００の要求及び症状に合致する医療機関２００を抽出する医療機関検索手段３２２と、検索した医療機関２００の施設情報の一部又は全部を利用者１００に提示する検索結果提示手段３２３とを備える。
【００２１】
健康履歴保存装置３３に保存される健康履歴は、体温や血圧や血糖値等を含む利用者の健康に関わる定量的な値や、便通の状況や頭痛の有無等を含む利用者の健康に関わる定性的な値を日時と共に記録したものである。健康履歴は、利用者が自ら利用者端末１０等を用いて入力したものを保存しても、測定装置を利用者端末１０等に接続して測定データを転送して保存しても、利用者が依頼した家族や親類やヘルパーやサービス運営業者等の第三者が代行して入力したものを保存してもよい。
【００２２】
また、診療履歴保存装置３４に保存される診療履歴は、利用者が医療機関を受診した際の診断病名や所見や治療行為や検査結果や医用画像情報等の、定量的な値や定性的な値や文字列や画像データ等を日時と共に記録したものである。診療履歴は、医療機関の医師や看護師やその他の職員が医療機関端末２０等を用いて入力したものを保存しても、検査装置や画像撮影装置を医療機関端末２０等に接続して検査データや画像データを転送して保存してもよい。
【００２３】
また、利用履歴保存装置３５に保存される利用履歴は、利用者が本システムを利用して医療機関を検索した際の検索条件や検索結果を日時と共に記録したものであり、それに加えて検索結果の中でどの医療機関を受診したかを記録したものである。利用履歴は、利用者が本システムを利用した際に自動的に本システムが記録しても、利用者が利用者端末１０等を用いて入力したものを保存しても、医療機関が医療機関端末２０を利用して入力したものを保存しても、それらを組み合わせてもよい。
【００２４】
また、施設情報保存装置３６に保存される施設情報は、医療機関の名称や所在地や連絡先や診療科や休診日や診療時間や、夜間診療や休日診療の有無、Ｘ線ＣＴやＭＲＩ装置等の有無等を記録したものである。医療機関が対処可能な疾患の疾患名や症状を記録してもよいし、予約枠の日時や予約の有無等も記録してもよい。施設情報は、医療機関が自ら医療機関端末２０等を利用して入力しても、医療機関が依頼したサービス運営業者や医療機関評価機関等の第三者が代行して入力したものを保存してもよい。
【００２５】
更に、データ制御装置３２は、健康履歴保存装置３３に対して利用者１００が自らの健康履歴を登録したり閲覧したり修正したり削除したりする処理を実行する健康履歴入出力手段３２４と、診療履歴保存装置３４に対して医療機関２００が診療を実施した利用者１００の診療履歴を登録したり閲覧したり修正したり削除したりする処理を実行する診療履歴入出力手段３２５と、施設情報保存装置３６に対して医療機関２００が自らの施設情報を登録したり閲覧したり修正したり削除したりする処理を実行する施設情報入出力手段３２６を備えてもよい。なお、健康履歴入出力手段３２４及び診療履歴入出力手段３２５は、利用者１００が承認した医療機関２００が、利用者１００の健康履歴及び診療履歴をそれぞれ閲覧する処理を実行してもよい。
【００２６】
ここで、検索要求受付手段３２１、医療機関検索手段３２２、検索結果提示手段３２３、診療履歴入出力手段３２４、診療情報入出力手段３２５、施設情報入出力手段３２６は、利用者端末１０及び医療機関端末２０及び医療機関検索サーバ３００においてそれぞれ専用のプログラムを実行させることにより提供してもよいし、利用者端末１０及び医療機関端末２０からネットワークを介して医療機関検索サーバ３００で動作するＷｅｂアプリケーションを実行させることにより提供してもよい。
【００２７】
また、本システムの医療機関検索サーバ３００および医療機関検索サービスは基本的にサービス運営会社が提供し、利用者１００や医療機関２００が利用する運営形態とするが、自治体や組合や保険会社等が提供し、自治体の住民や組合員や保険顧客等が利用する運営形態としてもよい。
【００２８】
次に、利用者１００が本システムを利用する際に、本システムが実行する処理手順の概略を説明する。
図２は、本発明の実施例の医療機関検索システムにおける処理手順の概略を示すフローチャートであり、データ制御装置３２が実行する処理手順の一例の概略に関するフローチャートを示す。
【００２９】
データ制御装置３２は、まず、利用者１００が登録済の利用者のうちの誰であるかを認証する（利用者認証ステップＳＴ０１）。利用者１００の認証には、利用者１００が入力したＩＤとパスワードを照合したり、利用者１００が所有するＩＣカード等の情報媒体に格納されている情報を受信して照合したり、指紋や音声や血管走行パターン等の利用者１００に特有の生体情報を取得して照合したりする方法及びそれらの方法の組合せを用いる。利用者１００が初めて本システムを利用する場合には、利用者登録の処理を実行する。
【００３０】
次に、データ制御装置３２は、利用者の検索要求を待機し、利用者が送信した検索要求を受け付ける（検索要求受付ステップＳＴ０２）。次に、データ制御装置３２は、受け付けた検索要求の内容と、健康履歴保存装置３３及び診療履歴保存装置３４及び施設情報保存装置３６に保存された情報をもとに、利用者１００の要求及び症状に合致する医療機関２００を抽出する（医療機関検索ステップＳＴ０３）。次に、データ制御装置３２は、抽出した医療機関２００の施設情報の一部又は全部を利用者１００に提示する（検索結果提示ステップＳＴ０４）。その後、利用者１００の操作に応じて判定ステップＳＴ０５で操作終了かどうかを判断し、操作終了でない場合にはＳＴ０２からＳＴ０５までを繰り返すことにより、本システムは利用者１００が適切な医療機関２００を探索することを支援する。
【００３１】
なお、施設情報保存装置３６が医療機関２００の予約枠の日時や予約の有無等の予約情報を保存している場合には、利用者１００が抽出された医療機関２００を受診するに当たり、データ制御装置３２が予約を受け付け、利用者１００が予約した日時等の予約情報を医療機関２００に通知する予約機能を提供してもよい。
【００３２】
以下、検索要求受付ステップＳＴ０２、医療機関検索ステップＳＴ０３、検索結果提示ステップＳＴ０４における処理の詳細について説明する。まず、検索要求受付ステップＳＴ０２における処理の詳細について説明する。
図３は、本発明の実施例の医療機関検索システムにおける検索条件入力画面の表示例であり、検索要求受付ステップＳＴ０２における、利用者１００の検索要求を受け付ける画面の例を示す。
【００３３】
図３に示した検索条件入力画面５０１は、画面に表示されたリストボックスやチェックボックスによって、利用者１００による検索要求の内容を受け付ける。図３の例では、検索対象地域と、診療科と、設備及び特徴と、症状と、検索オプションに関して利用者１００が指定した内容を受け付ける。診療科を複数指定した場合に、指定されたすべての診療科を備える医療機関を検索するＡＮＤ検索か、指定されたいずれかの診療科を備える医療機関を検索するＯＲ検索かを選択できる手段を備えてもよい。また、図３に示した症状及び部位の入力だけでなく、症状が発生した日時や、アレルギーの有無、生活習慣等を入力できる問診手段を備えてもよい。
【００３４】
利用者１００が検索ボタン５０１４を選択すると、データ制御装置３３は利用者１００が入力した検索条件に応じて医療情報検索ステップＳＴ０３を実行する。次に、医療機関検索ステップＳＴ０３における処理の詳細について説明する。
図４は、本発明の実施例の医療機関検索システムにおける医療機関検索ステップの処理手順の詳細を示すフローチャートであり、医療機関検索ステップＳＴ０３における処理手順の例の詳細に関するフローチャートを示す。
【００３５】
まず、データ制御装置３２は、ステップＳＴ０３１において、利用者１００の検索要求をもとに検索条件を次のように設定する。すなわち、検索条件入力画面５０１において、検索対象地域や診療科や設備及び特徴が選択されている場合には、選択された地域や診療科や設備及び特徴を検索条件として設定する。診療科や設備及び特徴がそれぞれ複数選択されている場合、ＡＮＤ検索かＯＲ検索かの検索方法を利用者が指定する手段によって指定されていれば指定された検索方法を検索条件として設定し、検索方法が指定されていなければ予め定められた検索方法を検索条件として設定する。
【００３６】
また、検索条件入力画面５０１において、症状が選択されている場合には、選択された症状を検索条件として設定するか、選択された症状に対応する疾患名又は診療科を判断し、検索条件として設定する。
なお、図３に示した症状及び部位の入力だけでなく、症状が発生した日時や、アレルギーの有無、生活習慣等を入力できる問診手段によって問診結果が入力された場合には、入力された問診結果に対応する疾患名や症状や診療科を判断し、検索条件として設定する。選択された症状に対応する疾患又は診療科の判断や、入力された問診結果に対応する疾患名や症状や診療科の判断は、医師が同様の判断を行う際の判断ルールをプログラム化することにより実現可能である。
【００３７】
以上により、ステップＳＴ０３１において、利用者１００の検索要求をもとに、検索対象地域や診療科や設備及び特徴や症状や疾患名や複数選択された場合の検索方法等が、検索条件として設定される。
【００３８】
次に、データ制御装置３２は、ステップＳＴ０３２において、施設情報保存装置３６に保存されている医療機関の施設情報を検索対象に設定する。例えば、医療機関の名称や所在地や連絡先や診療科や設備及び特徴や対処可能な症状や疾患名等を、検索対象として設定する。
【００３９】
次に、データ制御装置３２は、ステップＳＴ０３３、ＳＴ０３４、ＳＴ０３６において、それぞれ利用者１００が検索オプション１、検索オプション２、検索オプション３を指定したかどうかを、それぞれチェックボックス５０１１、チェックボックス５０１２、チェックボックス５０１３がチェックされたかどうかで判断し、指定されている場合にはそれぞれステップＳＴ０３７及びステップＳＴ０３８及びステップＳＴ０３９の処理を実行する。検索オプション１は、日々の健康データを考慮した検索オプションであり、検索オプション２は、過去の診療履歴を考慮した検索オプションであり、検索オプション３は、医療機関の診療経験を考慮した検索オプションである。
【００４０】
最後に、データ制御装置３２は、ステップＳＴ０３６において、設定した検索対象から設定した検索条件と合致度の高い医療機関を抽出し、医療機関検索ステップＳＴ０３を終了して検索結果提示ステップＳＴ０４を実行する。予め定めておいた値または利用者が指定した値よりも合致度が高い医療機関を抽出してもよいし、予め定めておいた数または利用者が指定した数の医療機関を合致度が高い順に抽出してもよい。
【００４１】
ここで、ステップＳＴ０３７における処理の詳細を説明する。ステップＳＴ０３７において、データ制御装置３２は、健康履歴保存装置３３に保存された、検索要求をした利用者１００の健康履歴をもとに、設定した検索条件を再設定する。具体的には、体温や血圧や血糖値等を含む利用者の健康に関わる定量的な値や、便通の状況や頭痛の有無等を含む利用者の健康に関わる定性的な値を日時と共に記録した健康履歴をもとに、利用者が罹患している可能性の高い疾患名や、利用者が現在呈している可能性の高い症状や、利用者が受診するのに望ましい診療科等を判断し、設定した検索条件を再設定する。前記の判断は、医師が同様の判断を行う際の判断ルールをプログラム化することにより実現可能である。なお、過去どの期間の健康履歴を利用するかは、利用者が設定できるようにしてもよいし、予め値を定めておいてもよい。
【００４２】
以上の説明からわかるように、本実施例では、利用者が入力した検索要求の内容で検索するだけでなく、利用者の日々の健康履歴に基づいて利用者の疾患名や症状や望ましい診療科を推定した上で医療機関の検索を行うため、利用者が重篤な疾患や症状を自覚していない場合でも適切な医療機関を利用者に提示できる利点がある。
【００４３】
次に、ステップＳＴ０３８における処理の詳細を説明する。ステップＳＴ０３８において、データ制御装置３２は、診療履歴保存装置３３に保存された、検索要求をした利用者１００の診療履歴をもとに、設定した検索条件を再設定する。具体的には、利用者が医療機関を受診した際の診断病名や所見や治療行為や検査結果や医用画像情報等の、定量的な値や定性的な値や文字列や画像データ等を日時と共に記録した診療履歴をもとに、利用者が罹患している可能性の高い疾患名や、利用者が現在呈している可能性の高い症状や、利用者が受診するのに望ましい診療科等を判断し、設定した検索条件を再設定する。前記の判断は、医師が同様の判断を行う際の判断ルールをプログラム化することにより実現可能である。なお、過去どの期間の診療履歴を利用するかは、利用者が設定できるようにしてもよいし、予め値を定めておいてもよい。
【００４４】
以上の説明からわかるように、本実施例では、利用者が入力した検索要求の内容で検索するだけでなく、利用者の過去の健康履歴に基づいて利用者の疾患名や症状や望ましい診療科を推定した上で医療機関の検索を行うため、利用者が自分の体質や重要な慢性疾患を自覚していない場合でも適切な医療機関を利用者に提示できる利点がある。
【００４５】
次に、ステップＳＴ０３９における処理の詳細を説明する。ステップＳＴ０３９において、データ制御装置３２は、診療履歴保存装置３３に保存された、複数の利用者の診療履歴をもとに、医療機関の治療経験を判断し、設定した検索条件と設定した検索対象を再設定する。具体的には、利用者が医療機関を受診した際の診断病名や所見や治療行為や検査結果や医用画像情報等の、定量的な値や定性的な値や文字列や画像データ等を日時と共に記録した診療履歴をもとに、設定した検索条件における疾患名や症状等の治療経験を判断し、設定した検索対象に、医療機関毎の治療経験を再設定すると共に、設定した検索条件に、疾患名や症状の治療経験を設定する。治療経験や治療成績は、単純に疾患名や症状が一致する症例の数で判断してもよいし、一致する症例において、所見の記載や検査結果等をもとに疾患や症状が改善又は治癒した症例を判定し、治癒した症例数や治癒率で判断してもよい。
【００４６】
また、ステップＳＴ０３８が既に実行されている場合には、利用者１００の診療履歴に利用者１００の現在の症状を加えた情報と類似度が高い他の利用者の症例数や治癒した症例数や治癒率で判断してもよい。なお、過去どの期間の診療履歴を利用するかは、利用者が設定できるようにしてもよいし、予め値を定めておいてもよい。
【００４７】
以上の説明からわかるように、本実施例では、利用者が入力した検索要求の内容で検索するだけでなく、医療機関の治療経験にも基づいて医療機関の検索を行うため、利用者の疾患や症状に関する治療経験や治療成績の優れた医療機関を利用者に提示できる利点がある。また、利用者の診療履歴に現在の症状を加えた情報と類似度が高い他の利用者の治療経験にも基づいて医療機関の検索を行うため、利用者の体質や診療履歴や症状を持つ場合に受診するのに最も適した医療機関を利用者に提示できる利点がある。
【００４８】
なお、ステップＳＴ０３１、ステップＳＴ０３７、ステップＳＴ０３８において、データ制御装置３２が設定する検索条件において新たに再設定される診療科や疾患名や症状が、既に設定済の診療科や疾患名や症状に一致しない場合には、設定済の診療科を一旦解除して新たに設定する診療科等のみを設定するか、設定済の診療科等は設定したまま新たに設定する診療科等を追加するか、設定済の診療科等と新たに設定する診療科が一致したもののみを設定に残すか等の中から、予め定めておいた方法で設定する。
【００４９】
また、本実施例では、検索オプション３が指定された場合には、診療履歴保存装置３４に保存された他人の診療履歴を検索に使用する必要がある為、データ制御装置３２は、診療履歴保存装置３４に保存する診療履歴を他の利用者の検索に使用させてもよいかどうかの承諾を利用者が入力する手段を備えてもよい。その場合、ステップＳＴ０３９で実施する治療経験の推定は、診療履歴の利用を承諾した利用者の診療履歴のみを用いる。次に、検索結果提示ステップＳＴ０４における処理の詳細について説明する。
【００５０】
図５は、本発明の実施例の医療機関検索システムにおける検索結果提示画面の表示例であり、検索結果提示ステップＳＴ０４における、利用者１００の検索要求に対する検索結果を提示する画面の例を示す。
【００５１】
図５に示した検索結果提示画面５０２は、検索要求として利用者がどのような検索要求を行ったかを表示する。また、利用者が検索オプションを選択した場合には、必要に応じて症状や疾患等の推定結果を併せて表示する。検索結果は、検索結果提示画面５０２の検索結果一覧に、医療機関検索ステップＳＴ０３で抽出された医療機関の一覧を、合致の度合いが高い順に表示する。図５の例では検索オプション３が指定されているので、検索条件を満たす医療機関を鼻水及び花粉症の治療経験の高い順に表示している。図５では医療機関の名称と所在地、治療経験ポイントとして例えば過去一年間の鼻水及び花粉症の治療症例数を表示し、その他の施設情報は詳細表示ボタン５０２１を利用者がクリックした際に表示する。詳細表示ボタン５０２１を利用者がクリックした場合に、選択した医療機関の詳細画面と共に予約画面を表示してもよい。また、合致の度合いは、利用者の検索要求または推定された疾患または症状が医療機関の施設情報と合致する度合いや、利用者の検索要求または推定された疾患または症状に関する医療機関の治療経験や、利用者の診療履歴及び現在の状態と類似度が高い診療履歴を持つ他の利用者の治療経験や、合致する度合いや治療経験の組合せに関して、合致度が高いほど、あるいは治療経験が多いほど高くなるような点数を付与し、点数の高低で判断してもよい。
【００５２】
更に、利用履歴保存装置３５に保存された利用者の利用履歴をもとに、利用者が受診した履歴が多いほど高く、また検索結果として抽出されたにもかかわらず利用者が受診しなかった履歴が多いほど低くなるような点数を、上記合致の度合いに加えてもよい。
【００５３】
利用者が再検索ボタン５０２３をクリックした場合、データ制御装置３３は、検索結果提示ステップＳＴ０４を終了し、ＳＴ０５における判断の結果、検索要求受付ステップＳＴ０２を実行する。また、利用者が終了ボタン５０２２をクリックした場合、データ制御装置３２は、検索結果提示ステップＳＴ０４を終了し、ＳＴ０５における判断の結果プログラムを終了する。
【００５４】
以上、本発明に関する医療期間検索システムを、図面に示した実施の形態を参照して説明した。
【産業上の利用可能性】
【００５５】
本発明によれば、検索者に適切な医療機関の情報を提示できる医療機関検索システムを提供できる。
【図面の簡単な説明】
【００５６】
【図１】本発明の実施例の医療機関検索システムの構成の一例を示すブロック図。
【図２】本発明の実施例の医療機関検索システムにおける処理手順の概略を示すフローチャート。
【図３】本発明の実施例の医療機関検索システムにおける検索条件入力画面の表示例。
【図４】本発明の実施例の医療機関検索システムにおける医療機関検索ステップの処理手順の詳細を示すフローチャート。
【図５】本発明の実施例の医療機関検索システムにおける検索結果提示画面の表示例。
【符号の説明】
【００５７】
４…ネットワーク、１０…利用者端末、２０…医療機関端末、３１…通信装置、３２…データ制御装置、３３…健康履歴保存装置、３４…診療履歴保存装置、３５…利用履歴保存装置、３６…施設情報保存装置、１００…利用者、２００…医療機関、３００…医療機関検索サーバ、３２１…検索要求受付手段、３２２…医療機関検索手段、３２３…検索結果提示手段、３２４…健康履歴入出力手段、３２５…診療履歴入出力手段、３２６…施設情報入出力手段、５０１…検索条件入力画面、５０１１…検索オプション１用チェックボックス、５０１２…検索オプション２用チェックボックス、５０１３…検索オプション３用チェックボックス、５０１４…検索ボタン、５０２…検索結果提示画面、５０２１…詳細表示ボタン、５０２２…終了ボタン、５０２３…再検索ボタン、ＳＴ０１…利用者認証ステップ、ＳＴ０２…検索要求受付ステップ、ＳＴ０３…医療機関検索ステップ、ＳＴ０４…検索結果提示ステップ、ＳＴ０５…判定ステップ。
【図１】
2005196510.tif 000003
【図２】
2005196510.tif 000004
【図３】
2005196510.tif 000005
【図４】
2005196510.tif 000006
【図５】
2005196510.tif 000007